(57)【要約】  【課題】躯体間隙が広い箇所にも設置でき、従来よりも裏方の空間を必要としないエキスパンションジョイントを提供する。  【解決手段】躯体間隙２Ｃを被覆する基端側カバー部３と先端側カバー部４とを有し、両カバー部３、４は間隙長手方向に平行し、間隙長手方向を軸に回動可能に連結してあり、基端側カバー部３を、一方の躯体２Ａ側に間隙長手方向を軸に回動可能に、かつ、他方の躯体２Ｂ側に先端側カバー部４を跨ぐように配した回転支持腕７を介して回動可能に連結し、先端側カバー部４に他方の躯体２Ｂ縁部に載置可能な載置部６ｄを設けたことを特徴とするエキスパンションジョイントとした。【選択図】  図２
2006138142.tif 000002
【特許請求の範囲】
【請求項１】
躯体間隙を被覆する基端側カバー部と先端側カバー部とを有し、両カバー部は間隙長手方向に平行し、間隙長手方向を軸に回動可能に連結してあり、基端側カバー部を、一方の躯体側に間隙長手方向を軸に回動可能に、かつ、他方の躯体側に先端側カバー部を跨ぐように配した回転支持腕を介して回動可能に連結し、先端側カバー部に他方の躯体縁部に載置可能な載置部を設けたことを特徴とするエキスパンションジョイント。
【請求項２】
基端側カバー部と先端側カバー部とを間隙幅方向に引張するバネ部を設けたことを特徴とする請求項１に記載のエキスパンションジョイント。
【請求項３】
回転支持腕を、扁形Ｃ字状に折曲した棒材とし、、両躯体が間隙幅方向に接近した際、基端側カバー部及び先端側カバー部が裏方に回動し、先端側カバー部の縁部が回転支持腕の内面に当接する構成としたことを特徴とする請求項２に記載のエキスパンションジョイント。
【請求項４】
基端側カバー部と間隙幅方向に摺動可能に連結し、かつ、一方の躯体と間隙長手方向を軸に回動可能に連結した連結部材を設けたことを特徴とする請求項１〜３のいずれかに記載のエキスパンションジョイント。
【請求項５】
基端側カバー部の裏面側に、間隙幅方向に沿い開口した断面略コの字形状の支持部材を設け、先端側カバー部の裏面側に、間隙幅方向に沿い開口した断面略コの字形状の載置部材を設け、支持部材と載置部材との対向する側端部を、間隙長手方向を軸としたヒンジ部で連結し、載置部材の側端部に他方の躯体側に突出した載置部を設け、回転支持腕の一端部側を支持部材に回動可能に連結し、他端部側を他方の躯体側に回動可能に連結してある構成を有することを特徴とする請求項１〜４のいずれかに記載のエキスパンションジョイント。
【請求項６】
バネ部を、支持部材及び載置部材内に納め、バネ部の一端部を回転支持腕の一端部側に係止し、他端部を載置部材に係止したことを特徴とする請求項５に記載のエキスパンションジョイント。
【請求項７】
連結部材を、略コの字状に折曲した棒材とし、先端部側を支持部材の側面に間隙幅方向に摺動可能に連結し、基端部側を一方の躯体側に間隙長手方向を軸に回動可能に連結したことを特徴とする請求項５又は６に記載のエキスパンションジョイント。
【発明の詳細な説明】
【技術分野】
【０００１】
本発明は、建造物の躯体間隙に設置するエキスパンションジョイントに関する。
【背景技術】
【０００２】
従来のエキスパンションジョイントとしては、天井の裏方に膨出するアーム材の一端部を一方の躯体に回動可能に連結し、他端部を天井材の裏面側に回動可能に連結し、両躯体が近接すると、アーム材により天井材の他方の躯体側が裏方に移動し、躯体の変動を吸収できるようにしたものがある（下記、特許文献１参照）。
【０００３】
【特許文献１】特開２００３−３１３９６１号公報
【発明の開示】
【発明が解決しようとする課題】
【０００４】
上記エキスパンションジョイントでは、躯体間隙が広い箇所に設置する場合、アーム材の形状も大きくしなければならず、アーム材が可動可能とするためには、裏方にアーム材が納まる程の空間が必要であり、この空間を設けられない建造物では、上記エキスパンションジョイントを設置することができなかった。
【０００５】
本発明は、上記課題に鑑み、躯体間隙が広い箇所にも設置でき、従来よりも裏方の空間を必要としないエキスパンションジョイントを提供する。
【課題を解決するための手段】
【０００６】
本発明のエキスパンションジョイントは、躯体間隙を被覆する基端側カバー部と先端側カバー部とを有し、両カバー部は間隙長手方向に平行し、間隙長手方向を軸に回動可能に連結してあり、基端側カバー部を、一方の躯体側に間隙長手方向を軸に回動可能に、かつ、他方の躯体側に先端側カバー部を跨ぐように配した回転支持腕を介して回動可能に連結し、先端側カバー部に他方の躯体縁部に載置可能な載置部を設けたものである。
基端側カバー部と先端側カバー部とを間隙幅方向に引張するバネ部を設け、回転支持腕を、扁形Ｃ字状に折曲した棒材とし、両躯体が間隙幅方向に接近した際、基端側カバー部及び先端側カバー部が裏方に回動し、先端側カバー部の他方の躯体側縁部が回転支持腕の内面に当接する構成とすることができる。
また、基端側カバー部と間隙幅方向に摺動可能に連結し、かつ、一方の躯体と間隙長手方向を軸に回動可能に連結した連結部材を設けるのが好ましい。
【０００７】
上記エキスパンションジョイントは、基端側カバー部の裏面側に、間隙幅方向に沿い開口した断面略コの字形状の支持部材を設け、先端側カバー部の裏面側に、間隙幅方向に沿い開口した断面略コの字形状の載置部材を設け、支持部材と載置部材との対向する側端部を、間隙長手方向を軸としたヒンジ部で連結し、載置部材の側端部に他方の躯体側に突出した載置部を設け、回転支持腕の一端部側を支持部材に回動可能に連結し、他端部側を他方の躯体側に回動可能に連結してある構成とすることができる。
また、バネ部を、支持部材及び載置部材内に納め、バネ部の一端部を回転支持腕の一端部側に連結し、他端部を載置部材に連結することや、連結部材を、略コの字状に折曲した棒材とし、先端部側を支持部材の側面上に間隙幅方向に摺動可能に連結し、基端部側を一方の躯体側に間隙長手方向を軸に回動可能に連結することもできる。
【発明の効果】
【０００８】
本発明のエキスパンションジョイントは、回転支持腕の内方に納まる二つ折れのカバー部を有する構成としたので、広い躯体間隙に設置する場合、従来よりも回転支持腕を裏方に突出しなくともよく、裏方の空間を従来よりも必要としない。基端側カバー部と先端側カバー部とを間隙幅方向に引張するバネ部を設けることにより、先端側カバー部が裏方に移動しても、基端側カバー部に引張られているので、躯体縁部から外れて、躯体の表方に突出することがない。回転支持腕を、扁形Ｃ字状に折曲した棒材とすることにより、先端側カバー材が回転支持腕内面に当接し、両カバー部が二つ折れになる構成とすることができる。
また、連結部材を設けることにより、躯体間隙が広がる方向に変動しても変動を吸収できるエキスパンションジョイントとなる。
【発明を実施するための最良の形態】
【０００９】
以下、本発明の一実施形態として天井面に取り付けた場合を、図面を用いて説明する。もちろん、これに限定するものではなく、本発明は壁面等にも使用可能である。
図１は本発明の一実施形態のエキスパンションジョイントの分解斜視図、図２は図１のエキスパンションジョイントを天井面に取り付けた場合の側面図、図３〜６は図１のエキスパンションジョイントの構成部品を示した図である。
【００１０】
本発明のエキスパンションジョイント１は、躯体２Ａ、２Ｂとしての天井面の間隙２Ｃを被覆する基端側カバー部３及び先端側カバー部４と、基端側カバー部３の裏面３ａ側に設けた支持部材５と、先端側カバー部４の裏面４ａ側に設けた載置部材６と、支持部材５と他方の躯体２Ｂとに両端部を回動可能に連結した回転支持腕７と、支持部材５の側面５ａ側に摺動可能に連結した連結部材８を主な構成として備えている。
【００１１】
基端側カバー部３及び先端側カバー部４は、間隙２Ｃを被覆し、天井面を形成するものであり、二分割形で間隙長手方向に平行し、かつ対向する長手両縁側を、ヒンジ部９にて間隙長手方向を軸に回動可能に連結してある。基端側カバー部３及び先端側カバー部４の長手両縁の裏面３ａ、４ａ側には、長尺状の天井枠材３ｂ、４ｂが取り付けてある。
基端側カバー部３の裏面３ａ側には、該カバー部３の幅と略同一長の支持部材５が設けてあり、間隙長手方向の適宜間隔ごとに間隙幅方向に渡し、その両側端部５ｂ付近の底面５ｃと基端側カバー部３の両縁の天井枠材３ｂとをそれぞれビスなどで固着してある。
先端側カバー部４の裏面４ａ側には、該カバー部４の幅と略同一長の載置部材６を支持部材５の延長線上に渡し、その両側端部６ａ付近の底面６ｂと先端側カバー部４の両縁の天井枠材４ｂとをそれぞれビスなどで固着してある。
【００１２】
支持部材５は、間隙幅方向に沿い開口した断面略コの字状に形成してあり、両側面５ａの上端部５ｄ側を中間付近から一方の躯体２Ａ側に向け下方傾斜させてあり、さらに、その側端部５ｂ側を段差状に形成してある。先端側カバー部４側の側端部５ｂには、両側面５ａから内方に略垂直折曲したヒンジ取付部５ｅが設けてあり、ヒンジ部９を介して、載置部材６と間隙長手方向を軸に回動可能に連結してある。
両側面５ａの先端側カバー部４側には、挿通孔５ｆが穿設してあり、締結部材２０ａ及び筒状部材２１ａを介して回転支持腕７の一端部側と回動可能に連結してある。一方の躯体２Ａ側には、円孔５ｇが設けてあり、締結部材２０ｂを挿通して、筒状部材２１ｂを両側面５ａ間に架け渡してある。円孔５ｇの下方寄りには、摺動部材１４が設けてあり、連結部材８と摺動可能に連結してある。また、両側面５ａの上端部５ｄには、略垂直外方に折曲した折曲面５ｈが形成してある。
底面５ｃの両側端部５ａ付近には、幅方向に沿い内方に膨出した膨出部５ｉが設けてあり、その中央付近には円孔５ｊが穿設してあり、ビス等を挿通して基端側カバー部３と固着してある。
摺動部材１４は、略矩形板材の長手方向の両端部を対面するように垂直折曲して折曲面１４ａを形成し、その両面に摺動孔１４ｂを穿設したものである。折曲面１４ａが外方に突出し、両折曲面１４ａが間隙幅方向に対して垂直となるように両側面５ａに配し、ビス等により固着してある。
【００１３】
載置部材６は、間隙幅方向に沿い開口したチャンネル材であり、他方の躯体２Ｂ側の側端部６ａには、上端部６ｃ寄りを他方の躯体２Ｂ側に突設した載置部６ｄが形成してあり、他方の躯体２Ｂ縁部に載置できる。基端側カバー部３側の側端部６ａには、両側面６ｅから内方に略垂直折曲したヒンジ取付部６ｆが設けてあり、ヒンジ部９を取り付けて、支持部材５と回動可能に連結してある。両側面６ｅの中間付近には、円孔６ｇが穿設してあり、締結部材２０ｃを締結し、両側面６ｅ間に筒状部材２１ｃを架け渡して引張りバネのバネ部１１の一端部を係止してある。
底面６ｂの両側端部６ａ付近には、幅方向に沿い内方に膨出した膨出部６ｈが設けてあり、その中央付近には円孔６ｉが穿設してあり、ビス等を挿通して先端側カバー部４と固着してある。
【００１４】
回転支持腕７は、断面略コの字長尺状の板材を開口が内向きとなるように側面視扁形Ｃ字状に折曲形成してある。詳細には、静止時において、基端側カバー部３の裏面３ａ側から裏方に垂直に伸び、他方の躯体２Ｂ側に円弧状に折曲する湾曲頂端部７ａを形成し、湾曲頂端部７ａから他方の躯体２Ｂ側に直線状に下方傾斜する傾斜部７ｂを形成し、その先端を折曲部７ｃにて略垂直に内折れさせ、他方の躯体２Ｂ縁部側に到達するように形成してある。
この際、折曲部７ｃは、静止時において、他方の躯体２Ｂ面上に位置するように形成してある。つまり、他方の躯体２Ｂの間隙側側面よりも内方に位置するよう形成してある。これにより、両躯体２Ａ、２Ｂが接近した際、回転支持腕７が可動しやすく、両カバー部３、４が裏方に移動しやすくなる。
回転支持腕７の一端部側（基端側カバー部３側）の側面には、２の円孔７ｄ、７ｅが穿設してあり、先端寄りの円孔７ｄには、締結部材２０ｄを挿通してバネ部１１の他端部を係止してあり、内寄りの円孔７ｅには、軸としての締結部材２０ａ及び筒状部材２１ａを挿通して支持部材５と間隙長手方向を軸に回動可能に連結してある。回転支持腕７の他端部側（他方の躯体２Ｂ側）の側面には、円孔７ｆが穿設してあり、腕取付部材１２を介して他方の躯体２Ｂ縁部側に間隙長手方向を軸に回動可能に取り付けしてある。
【００１５】
腕取付部材１２は、回転支持腕７と他方の躯体２Ｂとを連結するものであり、略矩形板材の取付面１２ａの長手一端部を垂直折曲して折曲面１２ｂを形成し、その先端に長手方向に沿い内向きに開口した断面Ｃ字状の軸収納部１２ｃを設けたものである。取付面１２ａは、他方の躯体２Ｂ縁部に設置した多段状の先端側縁部材１３上に設けてあり、取付面１２ａの適宜位置に穿設した円孔１２ｆにビス等を挿通して固着してある。
軸収納部１２ｃの上面１２ｄは、載置部材６の載置部６ｄの下端部６ｊが載置できるように形成してある。折曲面１２ｂ及び軸収納部１２ｃの長手方向中間付近には、略矩形に切り欠いた腕連結部１２ｅを設け、回転支持腕７の他端部側が納まり、回転支持腕７の円孔７ｆと軸収納部１２ｃに軸となる締結部材２０ｅを挿通して間隙長手方向を軸に回動可能に連結してある。
【００１６】
連結部材８は、長尺状の丸棒材を略コの字状に折曲形成してあり、両先端部８ａ側を摺動部８ｂとし、基端部８ｃ側を回転部８ｄとしてある。両先端部８ａの端部寄りには、ねじ部８ｅが形成してある。
連結部材８の摺動部８ｂは、摺動孔１４ｂに挿通し、ねじ部８ｅにナット２２等を締結することにより、支持部材５と連結部材８とを間隙幅方向に摺動可能に連結してある。
連結部材８の回転部８ｄは、回転支持部材１５を介して一方の躯体２Ａ縁部側に間隙長手方向を軸に回動可能に連結してある。
【００１７】
回転支持部材１５は、固着部１６と回転連結部１７とを備えている。
固着部１６は、一方の躯体２Ａに基端側縁部材１８を介して、間隙長手方向に摺動可能に連結でき、回転連結部１７は、連結部材８の回転部８ｄと回動可能に連結できるものである。
固着部１６は、略矩形板状の摺動面１６ａの長手端部寄り両隅から外方傾斜するように略矩形板状に突設して一対の固着面１６ｂを形成したものである。固着面１６ｂの略中央には、固着孔１６ｃが穿設してある。
回転連結部１７は、略矩形板材の短手両端部を窄まるように切り欠き、その窄まり側端部側をカール状に折曲して係止部１７ａとし、回転部８ｄを間隙長手方向を軸に回動可能に連結できるようにしたものである。係止部１７ａに対して反対側の端部の両隅には、略矩形状の一対の固定面１７ｂが設けてあり、外方傾斜するように係止部１７ａと同一向きに突設してある。固定面１７ｂの略中央には、固定孔１７ｃが穿設してある。固着面１６ｃと固定面１７ｂとを面接させ、固着孔１６ｄと固定孔１７ｃとにビス等を挿通して、固着部１６と回転連結部１７とを締結固定できる。
なお、基端側縁部材１８の間隙２Ｃ側には、間隙２Ｃ側に開口した断面リップ溝状の摺動部１８ａが設けてあり、摺動面１６ａを挿通して回転支持部材１５が間隙長手方向に摺動できるようにしてある。
【００１８】
ヒンジ部９は、支持部材５と載置部材６とを回動可能に連結するものであり、２の矩形板材の端部を軸部９ａで回動可能に連結し、二つ折れ構造としてある。軸部９ａの反対側の端部は中央付近を略矩形に切り欠いており、バネ部１１が納まりやすいようにしてある。ヒンジ部９を支持部材５と連結部材６とに固着する際は、軸部９ａが底面５ｂ、６ｂ側に位置するように配し、板材をビス等によりヒンジ取付部５ｅ、６ｆに固着し、支持部材５と連結部材６とを間隙長手方向を軸に回動可能に連結する。
【００１９】
上記構成のエキスパンションジョイント１は、両躯体２Ａ、２Ｂが間隙幅方向に近接するように変動した際、図７（Ａ）に示すように、回転支持腕７により基端側カバー部３が裏方に持ち上げられ、バネ部１１により引張られている先端側カバー部４も裏方に持ち上げられる。さらに両躯体２Ａ、２Ｂが近接すると、図７（Ｂ）に示すように、先端側カバー部４の他方の躯体３側縁部が回転支持腕７の内面に当接する。このとき、基端側カバー部３と先端側カバー部４とは、ヒンジ部９により間隙長手方向を軸として回動可能に連結してあるため、両カバー部３、４が二つ折れし始める。図７（Ｃ）に示すように、基端側カバー部３が裏方に略垂直に倒立する状態まで変形できるため、両躯体２Ａ、２Ｂが近接する方向に変動しても、両カバー部３、４が回転支持腕７の内方に納まりつつ変動を吸収できるものである。
このように本発明のエキスパンションジョイント１は、基端側カバー部３と先端側カバー部４とを回動可能に連結して、二つ折れ構造としたので、回転支持腕７の湾曲頂端部７ａの高さを低く抑えることができ、裏方の空間を従来構造のエキスパンションジョイントと比較して必要としないものである。
【００２０】
図７（Ｃ）に示した状態から両躯体２Ａ、２Ｂが元の位置に戻るように変動した際、両カバー部３、４は、前記した両躯体２Ａ、２Ｂが近接するように変動した際とは逆の動きをし、両カバー部３、４がバネ部１１の作用により天井面と水平となり、載置部６ｄの下端部６ｊが軸収納部１２ｃの上面１２ｄに載置して、元の状態に戻ることができる。
【００２１】
両躯体２Ａ、２Ｂが間隙幅方向に離反するように変動した際、連結部材８の摺動部８ｂが摺動部材１４に対して間隙幅方向に摺動可能に連結してあるため、図８に示すように、連結部材８が摺動して変動を吸収できる。
【００２２】
間隙長手方向の変動に対しては、回転支持部材１５が基端側縁部材１８に間隙長手方向に摺動可能に連結してあるため変動を吸収でき、間隙奥行方向の変動に対しては、連結部材８の回転部８ｄが回転支持部材１５に間隙長手方向を軸に回動可能に連結してあり、載置部６ｄが軸摺動部１２ｃの周面を摺動可能なため、これらの変動も変動を吸収できる。
【００２３】
本発明のエキスパンションジョイントは、上記実施形態に限定されるものではなく、例えば、バネ部１１を設けない構成とすることもできる。
この実施形態では、両躯体２Ａ、２Ｂが間隙幅方向に近接するように変動した際、図９に示すように、載置部６ｄの下端部６Ｊが軸収納部１２ｃの周面を摺動することにより、変動を吸収することができるものである。
【図面の簡単な説明】
【００２４】
【図１】本発明のエキスパンションジョイントの一実施形態を示した分解斜視図である。
【図２】図１のエキスパンションジョイントを天井面に取り付けた場合を示した側面図である。
【図３】図１のエキスパンションジョイントの構成部品である支持部材を示した概略斜視図である。
【図４】図１のエキスパンションジョイントの構成部品である載置部材を示した概略斜視図である。
【図５】図１のエキスパンションジョイントの構成部品である腕取付部材を示した概略斜視図である。
【図６】図１のエキスパンションジョイントの構成部品である回転支持部材を示した概略斜視図である。
【図７】（Ａ）〜（Ｃ）は、図１のエキスパンションジョイントを天井面に取り付けた場合に躯体が近接する方向に変動した場合の動きを示した側面図である。
【図８】、図１のエキスパンションジョイントを天井面に取り付けた場合に躯体が離反する方向に変動した場合の動きを示した側面図である。
【図９】本発明のエキスパンションジョイントの他の実施形態の動きを示した側面図である。
【符号の説明】
【００２５】
１エキスパンションジョイント  ２Ａ、２Ｂ躯体  ２Ｃ躯体間隙  ３基端側カバー部    ３ａ裏面  ３ｂ天井枠材  ４先端側カバー部  ４ａ裏面  ４ｂ天井枠材  ５支持部材    ５ａ側面  ５ｂ側端部  ５ｃ底面  ５ｄ上端部  ５ｅヒンジ取付部  ５ｆ挿通孔  ５ｇ  円孔  ５ｈ折曲面  ５ｉ膨出部  ５ｊ円孔  ６載置部材  ６ａ側端部  ６ｂ底面  ６ｃ  側端部  ６ｄ載置部  ６ｅ側面  ６ｆヒンジ取付部  ６ｇ円孔  ６ｈ膨出部  ６ｉ円孔      ６ｊ下端部  ７回転支持腕  ７ａ湾曲頂端部  ７ｂ傾斜部  ７ｃ折曲部  ７ｄ円孔    ７ｅ円孔  ７ｆ円孔  ８連結部材  ９ヒンジ部  ９ａ軸部  １１バネ部  １２腕取付  部材  １２ａ取付面  １２ｂ折曲面  １２ｃ軸収納部  １２ｄ上面  １２ｅ腕連結部    １２ｆ円孔  １３先端側縁部材  １４摺動部材  １４ａ折曲面  １４ｂ摺動孔  １５回  転支持部材  １６固着部  １６ａ摺動面  １６ｂ固着面  １６ｃ固着孔  １７回転連結  部  １７ａ係止部  １７ｂ固定面  １７ｃ固定孔  １８基端側縁部材  １８ａ摺動部
【図１】
2006138142.tif 000003
【図２】
2006138142.tif 000004
【図３】
2006138142.tif 000005
【図４】
2006138142.tif 000006
【図５】
2006138142.tif 000007
【図６】
2006138142.tif 000008
【図７】
2006138142.tif 000009
【図８】
2006138142.tif 000010
【図９】
2006138142.tif 000011